(57)【要約】【課題】  電力制御素子の熱破壊を防止すべく効率良く低コストで冷却する加熱装置及び画像形成装置を実現すること。【解決手段】  交流電源部ＡＣからの電力の供給を受けて誘導コイル１１に対する供給電力を制御するスイッチング部５４ａと、スイッチング部５４ａのスイッチング動作を制御するＩＨ制御部１００と、スイッチング部５４ａ近傍に配置されスイッチング部５４ａに対して冷却風を供給する冷却ファンＦと、を有する駆動電源部５０と、絶縁回路部７０を介して駆動電源部５０と電気的に絶縁され、ＩＨ制御部１００に電力設定信号Ｓｐを出力する本体制御部２００を有する本体部と、を備え、ＩＨ制御部１００は、本体制御部２００から入力された電力設定信号Ｓｐに基づいて冷却ファンＦの回転駆動制御を行う誘導加熱定着装置。【選択図】図２
2005315961.tif 000002
【特許請求の範囲】
【請求項１】
交流電源からの電力の供給を受けて誘導コイルに対する供給電力を制御する電力制御素子と、前記電力制御素子のスイッチング動作を制御する第１の制御手段と、前記電力制御素子近傍に配置され前記電力制御素子に対して冷却風を供給する冷却ファンと、を有する一次側回路と、
絶縁手段を介して前記一次側回路と電気的に絶縁され、前記第１の制御手段に電力設定信号を出力する第２の制御手段を有する二次側回路と、を備え、
前記第１の制御手段は、前記第２の制御手段から前記第１の制御手段に入力された電力設定信号に基づいて前記冷却ファンの回転駆動制御を行うこと、
を特徴とする加熱装置。
【請求項２】
請求項１に記載の加熱装置を備えることを特徴とする画像形成装置。
【請求項３】
請求項２に記載の画像形成装置において、
前記第２の制御手段は、画像形成装置の動作状況に基づいて電力設定信号を設定すること、
を特徴とする画像形成装置。
【請求項４】
請求項２又は３に記載の画像形成装置において、
前記第１の制御手段は、前記第２の制御手段から前記絶縁手段を介して入力される前記電力設定信号に基づいて、画像形成待機時の場合、前記冷却ファンを停止又は低速回転させ、画像形成時の場合、前記冷却ファンを高速回転させるよう回転駆動制御すること、
を特徴とする画像形成装置。
【発明の詳細な説明】
【技術分野】
【０００１】
本発明は、複写機等の画像形成装置に係り、詳しくは加熱装置に用いられる電力制御素子の熱破壊防止技術に関する。
【背景技術】
【０００２】
誘導コイルと誘導コイルが通電されることにより加熱される誘導被加熱物を備えた誘導加熱方式の加熱装置は、誘導コイルに電力を供給する為にＩＧＢＴ等の半導体素子やインダクタ、コンデンサ等の回路素子からなる電力制御素子が備えられている。
【０００３】
誘導加熱方式の加熱装置は、誘導コイルへ供給される電力量が大きいため、電力制御素子を構成する回路素子が発熱することが多い。回路素子は、回路素子の温度が上昇し耐熱温度を超えた場合、破損するという問題があった。この回路素子の温度上昇による破破損を防止する方策として、放熱効果を高めるためのヒートシンクを設け、ファン等を用いて冷却する方法等の対策が行われている。このように冷却用のファンを設けた場合、装置全体としての消費電力の増加や、騒音などの問題がある。
【０００４】
回路素子の発熱量は、誘導コイルへ供給される電力量に比例する。従って、ファンを設けることによって生じる消費電力の増加や騒音対策として、電力量が多い場合はファンを高速回転させ、電力量が少ない場合又は誘導加熱停止時はファンを低速回転又は停止させるというファンの回転駆動制御や、回路素子や誘導被加熱物の温度に基づいてファンを回転駆動制御することが一般的である。
【０００５】
そこで、ファンを用いた冷却方法の例としては、誘導加熱装置により加熱される定着ローラを具備する定着装置において、定着ローラ内に配設された誘導コイルを冷却するためのファンと、誘導コイルを冷却する必要を検知する手段を設け、検知手段の検知結果に応じてファンの回転を制御する、例えば、誘導コイルへ通電した後、定着ローラ温度が所定の温度以上のとき冷却ファンの電源をオンにし、冷却する必要のないときはオフする定着装置が開示されている（特許文献１参照）。
【０００６】
他の例としては、誘導加熱方式の定着装置を備える画像形成装置において、定着装置の定着ローラ内に配置された誘導コイルを冷却するための冷却ファンと、定着装置の誘導加熱装置の交流入力部に電力検出手段とを設け、電力検出手段の検出出力に応じて冷却ファンの回転と停止を制御するオン／オフ制御手段とを設けた画像形成装置が開示されている（特許文献２参照）。
【特許文献１】特開２０００−１３１９８０号公報
【特許文献２】特開２０００−２４２１０６号公報
【発明の開示】
【発明が解決しようとする課題】
【０００７】
しかしながら、このような従来の方策における装置構成は、交流電源部からの電力入力側（一次側）に誘導コイルに電力を供給する電力制御素子が備えられており、電力制御素子の冷却用のファンは二次側に配置されていることが多い。一次側と二次側とは、安全規格で定められた距離を確保するか又はフォトカプラ等の絶縁手段を用いて、電気的に絶縁しなくてはならない。
このような構成では、ファンが二次側に設置される場合、電力制御素子の近傍にファンを設置することが難しく電力制御素子に対して比較的遠方に配置される。従って、電力制御素子に近傍から冷却することが困難となり冷却効率が低下する。冷却効率を向上させるためには、ファンの大型化、設置スペースの拡大、高騒音、高コスト化といった問題が生じる。一方、ファンを一次側に配置した場合、二次側に設けられた制御部から一次側に設けられたファンへファンの回転駆動制御を行うための信号配線が必要となるため、フォトカプラ等の絶縁手段を信号配線上に設けなければ成らず、コストの増大となる。
【０００８】
本発明の課題は、電力制御素子の熱破壊を防止すべく効率良く低コストで冷却する加熱装置及び画像形成装置を実現することである。
【課題を解決するための手段】
【０００９】
請求項１に記載の発明は、交流電源からの電力の供給を受けて誘導コイルに対する供給電力を制御する電力制御素子と、前記電力制御素子のスイッチング動作を制御する第１の制御手段と、前記電力制御素子近傍に配置され前記電力制御素子に対して冷却風を供給する冷却ファンと、を有する一次側回路と、絶縁手段を介して前記一次側回路と電気的に絶縁され、前記第１の制御手段に電力設定信号を出力する第２の制御手段を有する二次側回路と、を備え、前記第１の制御手段は、前記第２の制御手段から前記第１の制御手段に入力された電力設定信号に基づいて前記冷却ファンの回転駆動制御を行うこと、を特徴としている。
【００１０】
請求項２に記載の発明は、請求項１に記載の加熱装置を備える画像形成装置であることを特徴としている。
【００１１】
請求項３に記載の発明は、請求項２に記載の画像形成装置において、前記第２の制御手段は、画像形成装置の動作状況に基づいて電力設定信号を設定すること、を特徴としている。
【００１２】
請求項４に記載の発明は、請求項２又は３に記載の画像形成装置において、前記第１の制御手段は、前記第２の制御手段から前記絶縁手段を介して入力される前記電力設定信号に基づいて、画像形成待機時の場合、前記冷却ファンを停止又は低速回転させ、画像形成時の場合、前記冷却ファンを高速回転させるよう回転駆動制御すること、することを特徴としている。
【発明の効果】
【００１３】
請求項１に記載の発明によれば、冷却ファンを一次側に配置し、絶縁手段を介して第２の制御手段から第１の制御手段に入力された電力設定信号に基づいて、第１の制御手段が冷却ファンの回転駆動制御を行うように構成したので、冷却ファンを電力制御素子の近傍に配置することができ、冷却効率を向上させることができる。そして、冷却効率の向上に伴って、冷却ファンの小型化を実現することができ、冷却ファンの設置スペースの縮小、低騒音、低コスト化が図れる。また、冷却ファンの回転駆動制御は、一次側回路の第１の制御手段が行うため、冷却ファン用のフォトカプラ等の絶縁手段による絶縁が不必要となるため、回路コストの低減が図れる。
【００１４】
請求項２に記載の発明によれば、請求項１と同様の効果を得られるのは勿論のこと、
効率良く低コストで電力制御素子を冷却する加熱装置を備えた画像形成装置を実現することができ、画像形成装置の低騒音化、低コスト化を図ることができる。
【００１５】
請求項３に記載の発明によれば、請求項２と同様の効果を得られるのは勿論のこと、誘導コイルに動作状況毎に適した電力を供給できると共に、誘導コイルによって加熱される加熱部材（例えば、加熱ローラ）の温度を確保しつつ画像形成装置の消費電力を低減することができる。
【００１６】
請求項４に記載の発明によれば、請求項２又は３と同様の効果を得られるのは勿論のこと、画像形成待機時の場合、冷却ファンを停止又は低速回転させることにより低風量とすることができ、画像形成時の場合、冷却ファンを高速回転させることにより高風量とすることができるため、電力制御素子の発熱に応じて適した風量を設定することができる。
【発明を実施するための最良の形態】
【００１７】
以下、図を参照して本発明の実施の形態を詳細に説明する。
まず、構成を説明する。
図１に、本実施の形態における画像形成装置１の概略構成図を示す。
本発明における画像形成装置は、トナー画像を担持する像担持体と前記像担持体に担持されているトナー画像を記録媒体に転写する転写手段とトナー画像を担持した記録媒体を加熱により定着する誘導加熱定着装置を有する。前記像担持体としては、感光体、中間間転写体が使用される。
【００１８】
図１に示すように、本実施の形態の画像形成装置１は、感光ドラム３０を備え、この感光ドラム３０の表面を帯電器３１により所定の電位に帯電し、露光手段３２により画像を露光して感光ドラム３０の表面に静電潜像を形成し、この潜像を現像器３３により現像剤（トナー）を用いて現像してトナー画像として可視化し、得られたトナー画像を感光ドラム３０に搬送された紙などの記録媒体Ｐに転写手段３４により転写する。トナー画像の転写が終了した感光ドラム３０は、その表面に残留した転写の残りのトナーをクリーナ３５により除去した後、つぎの画像形成に供される。
【００１９】
一方、トナー画像を担持した記録媒体Ｐは、感光ドラム３０から加熱装置としての誘導加熱定着装置４０に送られ、誘導加熱定着装置４０により記録媒体Ｐ上の未定着トナー画像が定着され、記録媒体Ｐ上にプリント画像が得られる。
【００２０】
誘導加熱定着装置４０は、記録媒体Ｐにトナー画像を加熱により定着するための加熱部材、該加熱部材に圧接してニップ部Ｎを形成する加圧部材、該加熱部材内に設けられた誘導加熱を行うための誘導加熱コイル等から構成される。加熱部材としては加熱ベルト、加熱ローラ等が使用できるが加熱ローラであることが熱効率に優れていることから好ましい。また、加圧部材としては加圧ローラ、パッド等が使用できるが加圧ローラであることが好ましい。図１の誘導加熱定着装置４０は、加熱部材としての加熱ローラ１０と、この加熱ローラ１０に圧接してニップ部Ｎを形成する加圧部材としての加圧ローラ２０と、加熱ローラ１０内に設けられた誘導加熱を行うための誘導コイル（図示略）等から構成される。記録媒体Ｐ上のトナー画像は、加熱ローラ１０と加圧ローラ２０との圧接されたニップ部Ｎを通過することで定着される。
【００２１】
図２に、誘導加熱（ＩＨ；Induction Heating）方式を用いた誘導加熱定着装置４０の制御構成図を示す。
図２に示すように、誘導加熱定着装置４０は、加熱ローラ１０、加熱ローラ１０を加熱する誘導コイル１１などから構成される装置系、交流電源部ＡＣ、交流電源部ＡＣに対して一次側に設けられ誘導コイル１１に電力を供給するための一次側回路としての駆動電源部５０と、交流電源部ＡＣに対して二次側に設けられ、誘導コイル１１に対応する加熱ローラ１０の温度を検出する温度センサ６０及び絶縁手段としての絶縁回路部７０を介して駆動電源部５０と電気的に絶縁され第１の制御手段としてのＩＨ制御部１００に電力設定信号を出力する第２の制御手段としての本体制御部２００を有する二次側回路としての本体部と、によって駆動される。
【００２２】
本体制御部２００は、図示しないＣＰＵ（Central Processing Unit）、ＲＯＭ（Read Only Memory）、ＲＡＭ（Random Access Memory）などにより、構成されており、ＲＯＭ内に記憶されているシステムプログラム、各処理プログラム及びデータを読み出して、ＲＡＭ内に展開し、展開されたプログラムに従って、画像形成装置１各部の動作を集中制御する。本体制御部２００の制御内容としては、システム全体のタイミング制御、ＲＡＭを使用した画像データの記憶及び蓄積制御、図示しないスキャナ部などから送られてきた画像データの画像処理（変倍、フィルタ、γ変換など）、プリンタ部に対する画像データの出力、操作表示部の入出力制御、他のアプリケーション（ＦＡＸ、プリンタ、スキャナ等）とのインターフェイス（Ｉ／Ｆ）や動作制御が挙げられる。
【００２３】
本体制御部２００は、本実施の形態を実現させるために、温度センサ６０からの検出温度Ｔ及び画像形成装置１の動作状況としての動作モードに基づいて、誘導コイル１１への電力の供給許可を指示する通電信号Ｓn/fと、誘導コイル１１に供給される電力値を指示する電力設定信号Ｓｐとを算出し、ＩＨ制御部１００に出力することで誘導コイル１１への通電制御を行う。
【００２４】
動作モードとは、誘導加熱定着装置４０を定着可能な温度まで加熱させるためのウォーミングアップモード、画像形成動作を待機してアイドリング動作を行っている待機モード、記録媒体Ｐに画像形成を行う画像形成モードなどである。
【００２５】
このように、動作モードに基づいて、誘導コイル１１への通電制御が行われることにより、誘導コイル１１に動作モード毎に適した電力を供給できると共に、動作モード毎に適した加熱ローラの温度を確保しつつ誘導加熱定着装置４０及び画像形成装置１の消費電力を低減することができる。
【００２６】
電力設定信号Ｓｐは、例えば４ビットのパラレル信号として表すことができる。
図３に、本体制御部２００のＲＯＭ内に予め記憶されている電力設定信号Ｓｐの電力値設定データテーブルの一例を示す。
図３に示すように、本体制御部２００は、ＲＯＭ内に記憶されている電力値設定データテーブルをＲＡＭ内に展開して参照し、例えば誘導コイル１１へ供給する電力設定値を「８００Ｗ」に設定する場合、「１１００」を示す電力設定信号Ｓｐを絶縁回路部７０を介してＩＨ制御部１００へ出力する。
【００２７】
なお、本実施の形態では、電力設定信号Ｓｐをビットのパラレル信号を使用した場合について説明するが、シリアル信号でもよくこの限りではない。
【００２８】
駆動電源部５０は、整流回路部５１と、電圧検出部５２と、基準電圧電源部５３と、誘導コイル１１に供給される電力の通電制御を行う駆動回路部５４と、駆動回路部５４及び後述する冷却ファンの制御を行うＩＨ制御部１００と、を備えている。
【００２９】
整流回路部５１は、交流電源部ＡＣからの交流電流を整流し、誘導コイル１１と後述する共振コンデンサＣ等を含む共振回路へ電力を供給する。
【００３０】
電圧検出部５２は、交流電源部ＡＣから誘導コイル１１に入力される電力の入力電圧を検出し、検出された検出電圧Ｖは、ＩＨ制御部１００に出力される。
【００３１】
基準電圧電源部５３は、交流電源部ＡＣから駆動電源部５０に入力された電力を分岐し、ＩＨ制御部１００の駆動用電源としてＩＨ制御部１００に電力を供給する。
【００３２】
駆動回路部５４は、誘導コイル１１と並列に接続された共振コンデンサＣと、誘導コイル１１に対する供給電力を制御する電力制御素子としてのスイッチング部５４ａと、スイッチング部５４ａ近傍に配置されスイッチング素子５４ａに対して冷却風を供給する冷却ファンＦと、スイッチング部５４ａ近傍に配置されたヒートシンクＨと、スイッチング部５４ａをオン／オフ動作させるためのゲートドライバ回路ＧＤと、を備えている。
【００３３】
スイッチング部５４ａは、スイッチング素子ＳＷとダイオードＤとにより構成されており、ＩＨ制御部１００からゲートドライバ回路ＧＤへ入力される駆動信号Ｓｉに基づいてゲートドライバ回路ＧＤによってスイッチング動作される。スイッチング素子ＳＷとしては、ＩＧＢＴ（Insulated Gate Bipolar Transistor）などを用いることができる。
【００３４】
ヒートシンクＨは、スイッチング素子ＳＷが動作することにより発生する発熱を放熱させるための部材であり、スイッチング素子ＳＷに接触させて近傍に設けられている。また、ヒートシンクＨは、冷却ファンＦから風を受け、更に放熱効果が向上されている。
【００３５】
冷却ファンＦは、ファンを駆動させるためのモータ及びモータ駆動回路を内蔵して構成されており、ＩＨ制御部１００から入力されるファン回転駆動信号Ｓｆに基づいて、モータが駆動され、ファンが回転される。即ち、冷却ファンＦは、ファン回転駆動信号Ｓｆに基づいて、ファンの回転開始／停止及び回転速度の回転駆動制御が行われる。
【００３６】
ＩＨ制御部１００は、本体制御部２００から入力される電力設定信号Ｓｐと、通電信号Ｓn/fに基づいて、誘導コイル１１の駆動信号Ｓｉを算出し、算出された駆動信号Ｓｉをゲートドライバ回路ＧＤに出力する。
また、本実施の形態を実現させるために、ＩＨ制御部１００は、本体制御部２００から絶縁回路部７０を介して入力される電力設定信号Ｓｐに基づいて、ファン回転駆動信号Ｓｆを算出し、算出されたファン回転駆動信号Ｓｆを冷却ファンＦに出力することによって、冷却ファンＦの回転駆動制御を行う。
【００３７】
温度センサ６０は、加熱ローラ１０に非接触若しくは接触させて配置されており、加熱ローラ１０の温度を検出し、検出された検出温度Ｔを本体制御部２００に出力する。温度センサ６０としては、例えば、サーミスタ、熱電対、赤外線センサなどの温度センサを用いることができ、加熱ローラ１０近傍の温度を検出することができるものであれば、この限りではない。
【００３８】
絶縁回路部７０は、本体制御部２００と駆動電源部５０（ＩＨ制御部１００）と間の信号を送受信可能な状態かつ電気的に絶縁させるための回路である。例えば絶縁回路としては、フォトカプラを用いて入力信号と出力信号間は光を使って伝達することによって電気的に絶縁することができる。フォトカプラの他の絶縁手段としては、トランスや光ケーブルを用いることもできる。
また、誘導コイル１１と加熱ローラ１０との間も、一定距離に離れており絶縁された状態となっている。
【００３９】
従って、本実施の形態の画像形成装置１は、交流電源部ＡＣに対して、駆動電源部５０、誘導コイル１１、絶縁回路部７０を一次側、本体制御部２００、加熱ローラ１０、加圧ローラ２０、温度センサ６０を二次側とする構成である。
【００４０】
図４に、ＩＨ制御部１００のブロック構成図を示す。
図４に示すように、ＩＨ制御部１００は、ＣＰＵ１１０、ＲＯＭ１２０、ＲＡＭ１３０、記憶部１４０、Ｉ／Ｆ１５０などにより構成され、Ｉ／Ｆ１５０を介して本体制御部２００と接続され、各部は通信手段としてのシステムバス１６０に接続されている。
【００４１】
ＣＰＵ１１０は、本体制御部２００から入力される電力設定信号Ｓｐ、通電信号Ｓn/f、電圧検出部５２から入力される検出電圧Ｖに基づいて駆動信号Ｓｉの制御を行う。また、ＲＯＭ１２０に記憶されているシステムプログラム、各処理プログラム、データを読み出して、ＲＡＭ１３０内に展開し、展開されたプログラムに従って、誘導加熱定着装置４０各部の動作を制御する。
【００４２】
更に、ＣＰＵ１１０は、本実施の形態を実現するために、本体制御部２００から入力される電力設定信号Ｓｐと、記憶部１４０内に記憶されているファン駆動プログラム１４１、ファン駆動指令データテーブル１４２、電力値設定データテーブル１４３、各種データを読出し、ＲＡＭ１３０内に展開し、展開されたプログラム及び各種データテーブル等に従って、ファン回転駆動信号Ｓｆを算出し、冷却ファンＦの回転駆動制御を行う。
【００４３】
ＲＯＭ１２０は、誘導加熱定着装置４０に対応するプログラムやデータなどがあらかじめ記憶されており、システムプログラム、当該システムに対応する各種処理プログラム、各種処理プログラムで処理するのに必要なデータを記憶している。
【００４４】
ＲＡＭ１３０は、ＣＰＵ１１０により制御実行される各種処理において、ＲＯＭ１２０や記憶部１４０から読み出されたプログラム、入力、若しくは出力データ及びパラメータなどの一時的な格納領域となる。
【００４５】
記憶部１４０は、本実施の形態を実現するために、ファン駆動プログラム１４１と、ファン駆動指令データテーブル１４２と、電力値設定データテーブル１４３と、を有している。なお、記憶部１４０は、ＲＯＭ１２０の一部の記憶領域を使用して構成することも可能である。
【００４６】
電力値設定データテーブル１４３は、本体制御部２００から入力された電力設定信号Ｓｐに応じて、誘導コイル１１に供給される電力値を算出するための変換データテーブルである。従って、本体制御部２００が有する図３に示すような電力値設定データテーブルと同様であるため、図示は省略する。
例えば、本体制御部２００から入力された電力設定信号Ｓｐが４ビットパラレル信号であり、「１１００」で示される電力設定信号ＳｐがＩＨ制御部１００に入力された場合、電力値設定データテーブル１４３には、電力設定信号Ｓｐ「１１００」に対応する誘導コイル１１に供給される「８００Ｗ」の電力値が設定されている（図３参照）。
【００４７】
ファン駆動指令データテーブル１４２は、本体制御部２００から入力された電力設定信号Ｓｐに基づいて算出された電力設定値に応じて、冷却ファンＦの回転駆動制御を指示するファン回転駆動信号Ｓｆを算出するためのデータテーブルである。
【００４８】
図５に、ファン駆動指令データテーブル１４２の一例を示す。
図５に示すように、算出された電力設定値に対応して、冷却ファンＦの回転駆動動作が予め設定されている。例えば、ファン駆動指令データテーブル１４２には、電力設定値が「８００Ｗ」である場合、冷却ファンＦの回転駆動動作として「停止」が設定されている。
【００４９】
算出された電力設定値は、動作モードに基づいて設定されているため、冷却ファンＦの回転駆動動作は、動作モードに基づいて設定されることとなる。
【００５０】
例えば、待機モードの場合、記録媒体Ｐが加熱ローラ１０及び加圧ローラ２０間のニップ部Ｎに通紙されず加熱ローラ１０の放熱量が少ないため、加熱ローラ１０の温度低下が少ない。従って、待機モードの場合には、誘導コイル１１に供給される電力値は小さく設定されている。待機モードの場合、ファン回転駆動信号Ｓｐとしては、スイッチング部５４ａの発熱量が少なく、低風量でスイッチング部５４ａを冷却することができるため、冷却ファンＦを停止又は低速回転させるよう設定されている。
【００５１】
また、画像形成モードの場合、記録媒体Ｐが加熱ローラ１０及び加圧ローラ２０間のニップ部Ｎに通紙されるため、加熱ローラ１０の放熱量が多くなるため、加熱ローラ１０の温度低下が多い。従って、画像形成モードの場合には、誘導コイル１１に供給される電力値は大きく設定されている。画像形成モードの場合には、ファン回転駆動信号Ｓｐとしては、スイッチング部５４ａの発熱量が多く、高風量でスイッチング部５４ａを冷却する必要があるため、冷却ファンＦを高速回転させるよう設定されている。
【００５２】
従って、待機モードの場合、冷却ファンＦを停止又は低速回転させることにより低風量とすることができ、画像形成モードの場合、冷却ファンＦを高速回転させることにより高風量とすることができるため、スイッチング部５４ａの発熱量に応じて適した風量が設定されることとなる。
【００５３】
図６に、本実施の形態における制御フロー図を示す。
まず、本体制御部２００は、画像形成装置１の動作モードを確認する（ステップＳ１）。本体制御部２００は、画像形成装置１の動作モードに基づいて誘導コイル１１に供給する電力設定値を設定する（ステップＳ２）。
【００５４】
本体制御部２００は、動作モードに基づいた電力設定値を設定後（ステップＳ２後）、電力値設定データテーブルを参照して、電力設定信号Ｓｐを算出する（ステップＳ３）。算出された電力設定信号Ｓｐは、絶縁回路部７０を介してＩＨ制御部１００へ出力される。
【００５５】
ＩＨ制御部１００は、本体制御部２００から入力された電力設定信号Ｓｐを、電力値設定データテーブル１４３を参照して誘導コイル１１に供給される電力設定値に変換する（ステップＳ４）。
【００５６】
ＩＨ制御部１００は、電力設定信号Ｓｐを電力設定値に変換後（ステップＳ４後）、ファン駆動指令データテーブル１４２を参照して、ファン駆動回転信号Ｓｆを算出する（ステップＳ５）。算出されたファン駆動回転信号Ｓｆは、冷却ファンＦのモータ駆動回路に出力される。
【００５７】
冷却ファンＦに内蔵されているモータ駆動回路は、ＩＨ制御部１００からファン駆動回転信号Ｓｆが入力された場合、ファン駆動回転信号Ｓｆに基づいて冷却ファンＦを回転駆動させる（ステップＳ６）
【００５８】
このように、冷却ファンＦを一次側に配置し、絶縁回路部７０を介して本体制御部２００からＩＨ制御部１００に入力された電力設定信号Ｓｐに基づいて、ＩＨ制御部１００が冷却ファンＦの回転駆動制御を行うように構成したので、冷却ファンＦをスイッチング部５４ａの近傍に配置することができ、冷却効率を向上させることができる。そして、冷却効率の向上に伴って、冷却ファンＦの小型化を実現することができ、冷却ファンＦの設置スペースの縮小、低騒音、低コスト化が図れる。また、冷却ファンＦの回転駆動制御は、駆動電源部５０のＩＨ制御部１００が行うため、冷却ファンＦ用のフォトカプラ等の絶縁手段による絶縁が不必要となるため、回路コストの低減が図れる。
従って、効率良く低コストで駆動回路部５４を冷却する誘導加熱定着装置４０を備えた画像形成装置１を実現することができ、画像形成装置１の低騒音化、低コスト化を図ることができる。
【００５９】
また、本発明は、上記実施の形態の内容に限定されるものではなく、本発明の主旨を逸脱しない範囲で適宜変更可能である。
【図面の簡単な説明】
【００６０】
【図１】本実施の形態における画像形成装置１の概略構成図である。
【図２】誘導加熱方式を用いた誘導加熱定着装置４０の制御構成図である。
【図３】電力値設定データテーブルの一例である。
【図４】ＩＨ制御部１００のブロック構成図である。
【図５】ファン駆動指令データテーブル１４２の一例である。
【図６】本実施の形態における制御フロー図である。
【符号の説明】
【００６１】
１  画像形成装置
１０  加熱ローラ
１１  誘導コイル
２０  加圧ローラ
３０感光ドラム
３１  帯電器
３２  露光手段
３３  現像器
３４  転写手段
３５  クリーナ
４０  誘導加熱定着装置
５０  駆動電源部
５１  整流回路部
５２  電圧検出部
５３  基準電圧電源部
５４  駆動回路部
５４ａ  スイッチング部
６０  温度センサ
７０  絶縁回路部
１００  ＩＨ制御部
１１０  ＣＰＵ
１２０  ＲＯＭ
１３０  ＲＡＭ
１４０  記憶部
１４１  ファン駆動プログラム
１４２  ファン駆動指令データテーブル
１４３  電力値設定データテーブル
１５０  Ｉ／Ｆ
１６０  システムバス
２００  本体制御部
ＡＣ  交流電源部
Ｃ  コンデンサ
Ｄ  ダイオード
Ｆ  冷却ファン
ＧＤ  ゲートドライバ回路
Ｈ  ヒートシンク
Ｎ  ニップ部
Ｐ  記録媒体
ＳＷ  スイッチング素子
Ｓｆ  ファン回転駆動信号
Ｓｉ  駆動信号
Ｓn/f  通電信号
Ｓｐ  電力設定信号
Ｔ  検出温度
Ｖ  検出電圧
【図１】
2005315961.tif 000003
【図２】
2005315961.tif 000004
【図３】
2005315961.tif 000005
【図４】
2005315961.tif 000006
【図５】
2005315961.tif 000007
【図６】
2005315961.tif 000008